(57)【特許請求の範囲】
【請求項１】
原稿と、データ送信に関する処理内容を示した送信設定用原稿との画像を読み取り、原稿データを取得する読取手段を備えた情報処理装置であって、
前記原稿または前記送信設定用原稿に装着された無線タグに記憶された識別情報を取得する識別情報取得手段と、
その識別情報取得手段により取得された識別情報のうち、いずれか１つの識別情報に対応する処理内容に基づいて、前記原稿データの処理内容が設定される場合、前記１つの識別情報を記憶する識別情報記憶手段と、
その識別情報記憶手段に記憶される識別情報に対応付けて原稿データの送信に関する処理内容が設定された設定手段と、
前記識別情報記憶手段に記憶された識別情報と、前記識別情報取得手段により取得された識別情報との一致を、前記読取手段により読み取られた原稿の各ページについて判断する一致判断手段と、
その一致判断手段により、識別情報が一致したと判断された識別情報が割り当てられた原稿の原稿データの送信を禁止する送信禁止手段と、
その送信禁止手段により送信が禁止されなかった原稿データに対して、前記設定手段に設定された処理内容に従った処理を実行する実行手段とを備えていることを特徴とする情報処理装置。
【請求項２】
前記送信設定用原稿は、前記読取手段により最初に読み取られたページであることを特徴とする請求項１に記載の情報処理装置。
【請求項３】
前記設定手段に設定された処理内容を編集する編集手段を備えていることを特徴とする請求項１又は２に記載の情報処理装置。
【請求項４】
前記設定手段には、タイマー送信に関する情報が、前記処理内容として設定されていることを特徴とする請求項１から３のいずれかに記載の情報処理装置。
【請求項５】
前記設定手段には、ポーリング送信に関する情報が、前記処理内容として設定されていることを特徴とする請求項１から３のいずれかに記載の情報処理装置。
【発明の詳細な説明】
【技術分野】
【０００１】
本発明は、情報処理装置に関するものである。
【背景技術】
【０００２】
電話番号やファクシミリ番号などが記録された無線タグを予め名刺に埋め込んでおき、ファクシミリ送信時には、例えば無線タグリーダなどにより名刺からファクシミリ番号を読み取って自動で設定し、ファクシミリ発信する技術が提案されている。
【特許文献１】特開２００５−３４８０２７号公報
【発明の開示】
【発明が解決しようとする課題】
【０００３】
このように、記録用紙に埋め込まれた無線タグをファクシミリ送受信に利用することについて、いくつかの提案がされているものの、未だ、無線タグの利用可能性は十分に発揮されていないという問題点があった。
【０００４】
一方で、ファクシミリ装置には、通常のファクシミリ送信処理に加え、例えば、送信側において書類をセットしておき、受信者側からの取り出し要求で送信を実行するポーリング送信、送信側で予め設定した発呼時刻情報に従った時刻に送信を実行するタイマー送信など、複数種類の送信処理のうちのいずれかを選択可能に構成されている場合がある。
【０００５】
ここで、同一の宛先に対し、同じ処理内容で複数セットの原稿を送信する場合について考える。例えば、先に予約したタイマー送信と同一の宛先へ新たな原稿を送信する場合、１件目のタイマー送信において設定した、宛先のファクシミリ番号および発呼時刻情報と同一の情報を、２件目についても設定すれば、同一の宛先に対し、２件分の原稿がまとめて送信されることとなるので、通話料金を節約することができるとともに、相手先にとっても、まとめて受信できるので便利である。
【０００６】
その場合、例えば、１件目に設定した宛先のファクシミリ番号と発呼時刻情報と同一の情報を、２件目以降も同じ操作手順で入力しなければならない。よって、１件目の宛先のファクシミリ番号と発呼時刻情報とを操作者が記憶しているか、または既に設定されている発呼待ち情報を確認しなければ、２件目以降の設定を行うことができず、設定操作が煩雑であり、設定ミスを誘発するという問題点があった。
【０００７】
本発明は、上記問題点を解決するためになされたものであり、原稿データに対して実行すべき処理内容を設定する際における操作の煩雑性を軽減することができる情報処理装置を提供することを目的としている。
【課題を解決するための手段】
【０００８】
この目的を達成するために、請求項１に記載の情報処理装置は、原稿と、データ送信に関する処理内容を示した送信設定用原稿との画像を読み取り、原稿データを取得する読取手段を備えたものであって、前記原稿または前記送信設定用原稿に装着された無線タグに記憶された識別情報を取得する識別情報取得手段と、その識別情報取得手段により取得された識別情報のうち、いずれか１つの識別情報に対応する処理内容に基づいて、前記原稿データの処理内容が設定される場合、前記１つの識別情報を記憶する識別情報記憶手段と、その識別情報記憶手段に記憶される識別情報に対応付けて原稿データの送信に関する処理内容が設定された設定手段と、前記識別情報記憶手段に記憶された識別情報と、前記識別情報取得手段により取得された識別情報との一致を、前記読取手段により読み取られた原稿の各ページについて判断する一致判断手段と、その一致判断手段により、識別情報が一致したと判断された識別情報が割り当てられた原稿の原稿データの送信を禁止する送信禁止手段と、その送信禁止手段により送信が禁止されなかった原稿データに対して、前記設定手段に設定された処理内容に従った処理を実行する実行手段とを備えていることを特徴とする。
【０００９】
請求項２記載の情報処理装置は、請求項１に記載の情報処理装置において、前記送信設定用原稿は、前記読取手段により最初に読み取られたページであることを特徴とする。
【００１０】
請求項３記載の情報処理装置は、請求項１又は２に記載の情報処理装置において、前記設定手段に設定された処理内容を編集する編集手段を備えていることを特徴とする。
【００１１】
請求項４記載の情報処理装置は、請求項１から３のいずれかに記載の情報処理装置において、前記設定手段には、タイマー送信に関する情報が、前記処理内容として設定されていることを特徴とする。
【００１２】
請求項５記載の情報処理装置は、請求項１から３のいずれかに記載の情報処理装置において、前記設定手段には、ポーリング送信に関する情報が、前記処理内容として設定されていることを特徴とする。
【発明の効果】
【００２４】
本発明の情報処理装置によれば、原稿または送信設定用原稿に装着された無線タグに記憶された識別情報が、識別情報取得手段により取得される。そして、その取得された識別情報のうち、いずれか１つの識別情報に対応する処理内容に基づいて、原稿データの処理内容が設定される場合、１つの識別情報が識別情報記憶手段に記憶される。その識別情報記憶手段に記憶される識別情報に対応付けて、原稿データの送信に関する処理内容が設定手段には設定されている。そして、識別情報記憶手段に記憶された識別情報と、識別情報取得手段により取得された識別情報との一致が、読取手段により読み取られた原稿の各ページについて一致判断手段により判断される。その結果、識別情報が一致したと判断された識別情報が割り当てられた原稿の原稿データの送信が送信禁止手段により禁止される。また、送信が禁止されなかった原稿データに対して、設定手段に設定された処理内容に従った処理が実行手段により実行される。このように構成することにより、識別情報記憶手段に記憶された識別情報と一致すると判断された識別情報が割り当てられた原稿データの送信が、送信禁止手段により禁止される。ここで、送信先の相手にとっては不要な原稿に対して、識別情報記憶手段に記憶された識別情報と一致する識別情報を割り当てることにより、送信先の相手にとっては不要な原稿データを送信してしまうという不都合が解消できるという効果がある。
【００２５】
なお、送信設定用原稿は、読取手段により読み取られた原稿のうち、必ずしも最初に読み取られた原稿であるとは限らず、途中に読み取られても、最後に読み取られても、ユーザがその送信設定用原稿を、識別情報を選択することにより選択可能に構成しても良い。
【００２６】
また、編集手段を設けることにより、ユーザは設定手段に設定された処理内容を編集できるので、ユーザは、その処理内容を必要に応じて編集することができるという効果がある。
【００２７】
さらに、設定手段に、タイマー送信に関する情報が、処理内容として設定されることにより、送信宛先を示す宛先情報に加え、発呼時刻など複数項目の設定が必要なタイマー送信の設定を簡単に行うことができるという効果がある。
【００２８】
あるいは、設定手段に、ポーリング送信に関する情報が、処理内容として設定されることにより、ポーリング送信に関する設定を簡単に行うことができるという効果がある。
【発明を実施するための最良の形態】
【００４０】
以下、本発明の好ましい実施例について、添付図面を参照して説明する。図１は、本発明の情報処理装置の一実施形態としてのファクシミリ装置１の模式的な断面図である。ファクシミリ装置１は、自動原稿送り装置２と、スキャナ装置３と、レーザプリンタ４と、給紙トレイ部５と、無線タグリーダ１５とを有する。ファクシミリ装置１によれば、自動原稿送り装置２に、読み取り対象の原稿Ｐがセットされ、ユーザにより図示しないスタートキーが押下されると、自動原稿送り装置２によって原稿Ｐが１ページずつ送られて、スキャナ装置３により読み取られ、その読み取りにより得られた原稿データが、ファクシミリ装置１から外部装置に対して送信される。
【００４１】
特に、本実施形態のファクシミリ装置１は、原稿Ｐに装着された無線タグを無線タグリーダ１５により読み取ることにより、無線タグに書き込まれている識別情報を取得し、その識別情報に基づいて、原稿Ｐの原稿データに対して実行すべき処理内容を設定することにより、原稿データ毎に処理内容を設定する際における操作の煩雑性を軽減することができるものである。
【００４２】
スキャナ装置３は、ガラス板３ａの直下に、ガラス板３ａに当接させた原稿の画像面を読み取るためのライン型の密着型イメージセンサ３ｂが設けられて構成されている。このスキャナ装置３は、自動原稿送り装置２により送られる原稿Ｐの画像面を読み取ることにより、原稿データを取得する。スキャナ装置３により読み取られた原稿Ｐは、図示しない排紙部へ排紙される。
【００４３】
レーザプリンタ４は、イエローのトナーを収納したＹステーション４２、マゼンダのトナーを収納したＭステーション４３、シアンのトナーを収納したＣステーション４４およびブラックのトナーを収納したＫステーション４５を備えると共に、これら各ステーションのトナーを転写ドラム３５に受け渡すための中間転写ベルト３６や、定着用ローラ３７を備え、給紙トレイ部５から給紙された記録用紙に、外部装置から受信したファクシミリデータに基づく画像を形成する。このレーザプリンタ４により画像が形成された記録用紙は、排紙スタッカ３９へ排紙される。
【００４４】
無線タグリーダ１５は、アンテナを介して無線タグと情報のやり取りを行うことにより、無線タグが記憶する情報を読み出すものである。本実施形態では、特に、自動原稿送り装置２の原稿載置部２ａに原稿Ｐがセットされた状態で、その原稿Ｐに装着された無線タグとの間で通信を行い、それら原稿Ｐに装着された無線タグから情報を取得する。なお、複数ページの原稿Ｐが原稿載置部２ａに積層されており、無線タグリーダ１５の読み取り可能なエリア内に複数の無線タグが存在する場合であっても、無線タグリーダ１５は、その複数の無線タグから一括して情報を読み出すことができる。
【００４５】
ここで、原稿Ｐは、任意の文字や画像を記録用紙に印刷し又は書き込むことにより作成されるが、その原稿Ｐの作成には、無線タグが予め付加された無線タグ付き記録用紙と、無線タグ無しの通常の記録用紙とが、ユーザの選択に応じて適宜使用され得る。本実施形態においては、無線タグ付きの記録用紙を使用する場合、原稿Ｐの印刷時に、ユーザによって指定された識別情報、もしくは印刷装置において自動的に生成される識別情報を原稿の無線タグに書き込むことができる。そのため、例えば、ある相手先に送信したい原稿データを作成し、その原稿データを印刷する場合に、無線タグ付きの記録用紙を使用し、識別情報を書き込む指定を行うことで、原稿の無線タグに固有の識別情報が書き込まれた印刷結果を取得することができる。送信する原稿が複数枚にわたる場合であれば、複数枚の原稿のうちの一枚目のみに無線タグ付きの記録用紙を使用して、その無線タグに識別情報を書き込む態様や、複数枚の原稿全てに無線タグ付きの記録用紙を使用して、同じ識別情報を書き込む態様などが考えられる。以下、このように作成された原稿Ｐが読み取り対象の原稿として扱われる。
【００４６】
なお、無線タグへの識別情報の書き込みは、印刷時に行われる方式に限らず、予め各記録用紙の無線タグに固有の識別情報が記憶されているものに対し、原稿データの印刷を行うことで、識別情報が付与された原稿を生成する方式であってもよい。
【００４７】
図２は、ファクシミリ装置１の電気的構成を示すブロック図である。ファクシミリ装置１には、上述したスキャナ装置３、レーザプリンタ４、無線タグリーダ１５に加え、ＣＰＵ１１、ＲＯＭ１２、ＲＡＭ１３、フラッシュメモリ１４、ネットワーク・コントロール・ユニット（以下、「ＮＣＵ」と称する）１９、モデム２０、バッファ２１、符号化部２３、復号化部２４、操作パネル２６、アンプ２７が備えられ、これらはバスライン２５を介して接続されている。
【００４８】
ファクシミリ装置１のＣＰＵ１１は、回線制御を行うＮＣＵ１９を介して送受信される各種信号に従って、バスライン２５により接続された装置各部を制御してファクシミリ送受信を実行するものである。ＲＯＭ１２は、このファクシミリ装置１で実行される制御プログラムを格納した書換不能なメモリである。図５から図７に示されるフローチャートのプログラムはＲＯＭ１２内に格納される。
【００４９】
ＲＡＭ１３は、ファクシミリ装置１の各動作の実行時に、各種のデータを一時的に記憶するためのメモリであり、識別情報メモリ１３１、参照識別情報メモリ１３２、原稿データメモリ１３３が設けられる。
【００５０】
識別情報メモリ１３１は、原稿載置部２ａに載置された読み取り対象原稿Ｐの無線タグから取得された識別情報が格納されるメモリである。無線タグリーダ１５は、読み取り対象原稿Ｐの全ページが原稿載置部２ａにセットされているとき、原稿Ｐから識別情報を取得する。読み取り対象の原稿Ｐのうち、複数ページの無線タグから複数種類の識別情報が取得された場合は、その複数種類の識別情報の全てが、この識別情報メモリ１３１に格納される。
【００５１】
参照識別情報メモリ１３２は、無線タグリーダ１５によって取得された識別情報に基づいて、原稿データに対して実行すべき処理内容が設定される場合、その処理内容の設定に用いられた識別情報を記憶するメモリである。なお、参照識別情報メモリ１３２に記憶される識別情報については、図３を参照して後に詳述する。
【００５２】
原稿データメモリ１３３は、スキャナ装置３により取得された原稿データが格納されるメモリである。この原稿データメモリ１３３に格納された原稿データがファクシミリデータとして、相手先の装置へ送信される。
【００５３】
フラッシュメモリ１４は、書換可能な不揮発性のメモリであって、管理メモリ１４１を備える。管理メモリ１４１については、図４を参照して後述する。
【００５４】
モデム２０は、ファクシミリデータを変調・復調して伝送すると共に伝送制御用の各種手順信号を送受信するものであり、バッファ２１は、相手先の装置との間で送受信される符号化されたファクシミリデータを含むデータを一時的に格納するものである。
【００５５】
符号化部２３はファクシミリデータの符号化を行うものである。復号化部２４は、バッファ２１に記憶された受信データを読み出して、これを復号化するものである。アンプ２７にはスピーカ２８が接続され、呼出音などをこのスピーカ２８から出力するためのものである。
【００５６】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、相手先装置側の交換機に接続され、更に電話回線を介して相手先装置に接続されている。
【００５７】
図３を参照して、参照識別情報メモリ１３２に記憶される識別情報について説明する。図３は、本実施形態のファクシミリ装置１における、読み取り対象原稿Ｐの一例を示す図である。なお、図３において、原稿を示す符号「Ｐ」は、原稿の各ページに付しているが、図３においては、各原稿Ｐの読み取り順序を分かりやすく図示するために、特にページ番号を示す数字を右下に付した符号「Ｐ１」、「Ｐ２」・・・を用いている。
【００５８】
図３に示すように、本実施形態のファクシミリ装置１のユーザは、例えば、所望の処理内容の設定に適した設定用ページＰ１を準備し、その設定用ページＰ１を、相手先に送信しようとする原稿Ｐ２〜Ｐ６の先頭に配置し、まとめて原稿載置部２ａにセットする。
【００５９】
図３に示す例では、第１ページ目である設定用ページＰ１と第２ページ目である「送信書」Ｐ２のみ、無線タグ３０が装着された無線タグ付き記録用紙が用いられている。よって、図３に示す１セットの原稿Ｐが原稿載置部２ａ（図１参照）にセットされる場合、原稿Ｐ１の無線タグ３０と原稿Ｐ２の無線タグ３０とからそれぞれ識別情報が読み出され、合計で２種類の識別情報が取得される。
【００６０】
ここでは、取得された２種類の識別情報のうち、先頭側に配置された設定用ページＰ１から取得された識別情報が後述する管理メモリ１４１に記憶されており、その記憶されている識別情報に基づいて、原稿Ｐ２〜Ｐ６に対する処理内容が設定される場合について説明する。この場合、参照識別情報メモリ１３２（図２参照）には、設定用ページＰ１から取得された識別情報が記憶されることとなる。
【００６１】
図４を参照して、管理メモリ１４１について説明する。図４（ａ）は、管理メモリ１４１の構成の一例を模式的に示す図である。
【００６２】
図４（ａ）に示すように、管理メモリ１４１は、管理番号１４１０と、識別情報１４１１と、その識別情報１４１１に対応する処理内容１４１２とが対応付けて登録されるメモリである。図４に示すように、処理内容１４１２は、タイマー送信であるかポーリング送信であるかを示す「種別」、原稿データの送信先のファクシミリ番号を示す「宛先情報」、タイマー送信である場合に設定される「発呼時刻」を含む。
【００６３】
本実施形態のファクシミリ装置１においては、原稿Ｐから複数種類の識別情報が取得された場合、その取得された複数種類の識別情報のうち、いずれかが管理メモリ１４１に登録されているかが判断され、管理メモリ１４１に登録されていると判断された識別情報に対応する処理内容１４１２が呼び出されて、操作パネル２６に表示される。
【００６４】
図４（ｂ）は、処理内容１４１２を表示する処理内容表示画面２６０の一例を示す図である。図４（ｂ）に示すように、処理内容表示画面には、管理メモリ１４１から読み出された処理内容としての「種別」、「宛先情報」および「発呼時刻」と、その処理内容に対応する管理番号と、その処理内容に対応する識別情報とを含む呼出情報２６１が表示される。この呼出情報２６１の表示により、ユーザは、管理メモリ１４１に登録された各識別情報に対応する処理内容を見直す機会が与えられる。なお、本実施形態では、原稿Ｐから取得された複数種類の識別情報のうち、２以上の識別情報が管理メモリ１４１に登録されている場合、その２以上の識別情報の各々について、対応する処理内容が操作パネル２６に表示される。そして、ユーザによりいずれか１つの処理内容を選択させる。例えば、いずれかの処理内容を選択するように促すメッセージを表示させ、ユーザに選択させることにより、使用する処理内容を１つに特定することができる。
【００６５】
処理内容表示画面２６０における呼出情報２６１の下には、編集キー２６２および読み取り開始キー２６３が表示される。操作パネル２６は、タッチパネルで構成されており、編集キー２６２および読み取り開始キー２６３をユーザがタッチすることにより、各キーに対応した指示を、ファクシミリ装置１に入力することができるように構成されている。
【００６６】
編集キー２６２は、ユーザによる編集指示を受け付けるためのキーである。編集キー２６２がユーザによってタッチされると、呼出情報２６１に含まれる処理内容がユーザからの指示に基づいて編集可能となり、例えば、発呼時刻の修正等が受け付けられる。すなわち、ユーザにとっては、管理メモリ１４１に登録された処理内容を必要に応じて編集することができる。
【００６７】
そして、ユーザは、編集作業を終了すると、読み取り開始キー２６３をタッチすることにより、読み取り開始指示を入力する。ファクシミリ装置１は、読み取り開始指示が入力されると、自動原稿送り装置２による原稿送りを開始し、原稿Ｐの読み取りを開始する。また、読み取り開始キー２６３がユーザによりタッチされたときに、処理内容表示画面に表示されていた処理内容が、読み取り開始後に取得した原稿データの各ページ、すなわち、原稿載置部２ａにセットされていた原稿Ｐの全ページに共通の処理内容として設定される。
【００６８】
このように、ユーザにとっては、処理内容を視認した上で、読み取り開始指示を入力することで、その視認した処理内容を、読み取り対象の原稿の各ページの原稿データに共通に設定できるので、所望の処理内容を読み取り対象の原稿の原稿データに対して簡単に設定することができるという効果がある。
【００６９】
また、ユーザから読み取り開始指示が入力されてから、原稿Ｐの読み取りが開始されるので、仮に、原稿Ｐに割り当てられた識別情報に対応する処理内容が、ユーザの意に沿わないものであったとしても、ユーザは、読み取り開始前に気づき、設定用ページＰ１を差し替えるなど適切な処置を迅速にとることができる。
【００７０】
図５を参照して、上述したファクシミリ装置１で実行されるファクシミリ送信処理（Ｓ２）について説明する。図５は、ファクシミリ装置１のＣＰＵ１１が実行するファクシミリ送信処理（Ｓ２）を示すフローチャートである。このファクシミリ送信処理（Ｓ２）は、原稿載置部２ａ（図１参照）に読み取り対象の原稿Ｐがセットされた場合に実行される処理であり、原稿Ｐの読み取り、その原稿の原稿データに対して実行すべき処理内容の設定、その設定された処理内容に基づく処理の実行を行う処理である。
【００７１】
まず、原稿載置部２ａ（図１参照）に読み取り対象原稿Ｐがセットされた状態で、原稿Ｐに装着された無線タグ３０（図３参照）から、無線タグリーダ１５により情報を読み出し、原稿Ｐに割り当てられる識別情報を取得する（Ｓ４）。次に、識別情報が取得されたか否かを判断し（Ｓ６）、Ｓ６の判断が否定される場合（Ｓ６：Ｎｏ）、無線タグ３０を利用しない通常処理を実行し（Ｓ１２）、処理を終了する。
【００７２】
一方、Ｓ６の判断が肯定される場合（Ｓ６：Ｙｅｓ）、原稿Ｐから取得された識別情報の種類数を判断する（Ｓ８）。具体的には、原稿Ｐから取得された識別情報が、２種類以上あるか否かを判断する。原稿Ｐから取得された識別情報が１種類である場合（Ｓ８：Ｎｏ）、処理内容をユーザに設定させるユーザ設定処理（Ｓ１４）を実行する。なお、ユーザ設定処理（Ｓ１４）については、図７を参照して後述する。
【００７３】
原稿から取得された識別情報が２種類以上ある場合（Ｓ８：Ｙｅｓ）、次に、取得された識別情報のうち、いずれかが管理メモリ１４１（図４（ａ）参照）に登録されているかを判断する（Ｓ１０）。本実施形態においては、識別情報が２種類以上ある場合に、管理メモリ１４１にその識別情報と同じ識別情報が存在しているかを確認する点が特徴の一つになる。ここで、Ｓ１０の判断が否定される場合（Ｓ１０：Ｎｏ）、Ｓ１４に移行し、ユーザ設定処理（Ｓ１４）を実行するが、Ｓ１０の判断が肯定される場合（Ｓ１０：Ｙｅｓ）、自動設定処理（Ｓ１６）を実行することにより、管理メモリ１４１に登録されていると判断された識別情報に対応する処理内容を管理メモリ１４１から読み出し、その処理内容に基づいて、原稿Ｐに対する処理内容を設定する。
【００７４】
なお、自動設定処理（Ｓ１６）により実行される設定手順が、特許請求の範囲に記載の第１の設定手順に相当し、ユーザ設定処理により実行される設定手順が、特許請求の範囲に記載の第２の設定手順に相当する。
【００７５】
このように、ファクシミリ送信処理（Ｓ２）によれば、原稿Ｐから取得される識別情報の種類数に応じて、原稿Ｐに関する処理内容が異なる手順で設定される。よって、原稿データ送信の際における設定操作の煩雑性を軽減させることができる。即ち、セットされた原稿Ｐから取得された識別情報が２種類以上であれば、その識別情報が管理メモリ１４１に既に存在しているかの確認を行い、存在している場合には自動設定処理に移行する。一方、原稿Ｐから取得された識別情報が２種類以上ではない（１以下の場合）場合には、直ちにユーザ設定処理に移行する。よって、まとめてセットされる原稿Ｐから取得される識別情報の種類数に応じて、その後に原稿Ｐに対して実行する設定処理の手順を適宜異ならせることができる。つまり、必要な識別情報を備えた原稿を組み合わせて、読み取り対象の原稿としてセットするだけで、そのセットされた原稿に付与されている識別情報の種類数に応じて、セットされた原稿の原稿データに適した手順で設定処理が行われる。これにより、原稿データに対して実行すべき処理内容を設定する際における操作の煩雑性を軽減することができる。
【００７６】
図６を参照して、自動設定処理（Ｓ１６）について説明する。図６は、自動設定処理を示すフローチャートである。まず、管理メモリ１４１に登録済みの識別情報であると判断された全ての識別情報に対応した処理内容を管理メモリ１４１から読み出し、処理内容表示画面（図４（ｂ）参照）に表示する（Ｓ７０２）。そして、表示された処理内容からユーザにより、いずれか１つが選択されると、その選択された処理内容以外の処理内容を、画面から消去すると共に、ユーザにより選択された処理内容に対応する識別情報を参照識別情報メモリ１３２（図２参照）に記憶する（Ｓ７０４）。例えば図３に示したように、読み取り対象原稿Ｐの先頭に、無線タグ３０付きの設定用ページＰ１が配置され、その後に原稿Ｐ２〜Ｐ６が続けて配置される場合、原稿Ｐ２（ＦＡＸ送信書）にも無線タグ３０が存在しているため、これらの２つの無線タグ３０から識別情報が読み出されるとする。その場合、設定用ページＰ１から読み出された識別情報は管理メモリ１４１に登録済みの識別情報であると判断され、その識別情報に対応した処理内容が管理メモリ１４１から読みだされ、Ｓ７０２において表示される。さらに、Ｓ７０４において、参照識別情報メモリ１３２に記憶される。
【００７７】
次に、処理内容表示画面に表示された処理内容を、ユーザからの指示に基づいて編集する（Ｓ７０６）。そして、読み取り指示が入力されたか否かを判断し（Ｓ７０８）、Ｓ７０８の判断が否定される場合（Ｓ７０８：Ｎｏ）、Ｓ７０６に戻る。なお、Ｓ７０６において、ユーザにより処理内容の編集指示がない場合であっても、読取開始指示は受付可能である。
【００７８】
一方、Ｓ７０８の判断が肯定されると（Ｓ７０８：Ｙｅｓ）、すなわち、読み取り指示が入力されると、その読み取り指示入力時に処理内容表示画面に表示されていた処理内容を原稿Ｐに関する処理内容として設定する（Ｓ７０９）。
【００７９】
次に、自動原稿送り装置２により原稿Ｐを１ページ送り（Ｓ７１０）、その１ページの原稿Ｐに割り当てられた識別情報が、参照識別情報メモリ１３２（図２参照）に記憶された識別情報と一致するか否かを判断する（Ｓ７１２）。
【００８０】
なお、１ページの原稿Ｐに割り当てられた識別情報は、以下のようにして検知することができる。まず、スキャナ装置３（図１ページにより、１ページの原稿Ｐが読み取られ、その原稿Ｐが無線タグリーダ１５による読み取り可能エリア外にある排紙部（図示せず）まで送られると、無線タグリーダ１５により、原稿載置部２ａに載置された原稿Ｐから再度、識別情報を取得する。識別情報メモリ１３１（図２参照）には、原稿Ｐの読み取り開始前に取得された識別情報の全てが記憶されているから、その記憶された識別情報と、今回取得された識別情報とを比較することにより、原稿Ｐに割り当てられていた識別情報を検知することができる。
【００８１】
Ｓ７１２の判断が肯定される場合（Ｓ７１２：Ｙｅｓ）、原稿データを原稿データメモリ１３３（図２参照）に保存せず（Ｓ７１４）、Ｓ７１８の処理に移行する。
【００８２】
例えば図３に示したように、読み取り対象原稿Ｐの先頭に、設定用ページＰ１が配置され、設定用ページＰ１から読み出された識別情報に基づいて原稿Ｐ２〜Ｐ６に対する処理内容が決定される場合、設定用ページＰ１から読み出された識別情報が、参照識別情報メモリ１３２に記憶される。よって、設定用ページＰ１の読み込みが行われるときには、その設定用ページＰ１に割り当てられた識別情報が、参照識別情報メモリ１３２に記憶される識別情報と一致すると判断され、設定用ページＰ１の原稿データが保存されない。その結果、設定用ページＰ１については原稿データの送信が禁止される。
【００８３】
このようにすれば、すでに管理メモリ１３１に登録されている処理内容と同じ処理内容を設定するためにセットされた原稿Ｐ（図３の例では、設定用ページＰ１）については、新たに送信しようとする原稿と区別され、その原稿データが送信されないので、送信先の相手にとっては不要な原稿データまで送信してしまうという不都合が抑制される。
【００８４】
一方、Ｓ７１２の判断が否定される場合（Ｓ７１２：Ｎｏ）、送信すべき原稿データとみなし、その原稿データを原稿データメモリ１３３（図２参照）に保存し（Ｓ７１６）、原稿載置部２ａに次の原稿があるか否かを判断する（Ｓ７１８）。Ｓ７１８の判断が肯定される場合（Ｓ７１８：Ｙｅｓ）、Ｓ７１０に戻り処理を繰り返す。
【００８５】
このようにして処理を繰り返す内に、原稿Ｐの全ページの読み取りが終了し、Ｓ７１８の判断が否定されると（Ｓ７１８：Ｎｏ）、原稿データメモリに保存された原稿データに対し、Ｓ７０９の処理で設定された処理内容を、タイマー送信管理メモリまたはポーリング送信管理メモリに設定する（Ｓ７２０）。具体的には、例えば、設定された処理内容の種別が、「タイマー送信」である場合、設定された処理内容に含まれる「宛先情報」を送信先のファクシミリ番号として設定し、且つ、設定された処理内容に含まれる「発呼時刻」で示される日時に発呼が実行されるよう、保存された原稿データの保存先と共に、タイマー送信を管理しているタイマー送信管理メモリ（図示せず）に対して設定を行う。また、例えば、設定された処理内容の種別が、「ポーリング送信」である場合、原稿データメモリに保存されたデータの送信が、送信宛先側の操作を契機として実行されるように、保存された原稿データの保存先と共に、ポーリング送信を管理しているポーリング送信管理メモリ（図示せず）に対して設定を行う。「タイマー送信」、「ポーリング送信」ともに、設定が行われても直ちに動作が実行されるものではないため、Ｓ７２０の設定後は、待機中に移行することになる。
【００８６】
このように、自動設定処理（Ｓ１６）によれば、管理メモリ１４１に予め登録された処理内容に基づいて、新たにセットした原稿Ｐに対して適切な処理内容が簡単に設定される。また、原稿の各ページに共通の処理内容が設定されるので、例えば、所望の処理内容に対応する識別情報が割り当てられた設定用ページＰ１を、他の原稿と共に配置することで、その所望の処理内容に基づいて、原稿の各ページに共通した処理内容を、簡単に設定することができる。また、例えば、同一の設定用ページＰ１を繰り返し用いることにより、同じ処理内容を何度でも自動で設定することができる。また、使用方法が簡単でユーザにとって覚えやすい。
【００８７】
図７は、ユーザ設定処理（Ｓ１４）を示すフローチャートである。このユーザ設定処理は、原稿Ｐから取得された識別情報が１種類であった場合に実行される処理である。
【００８８】
まず、ユーザ指示を受け付け、そのユーザ指示により指定される処理内容を設定する（Ｓ８０２）。次に、図示しないスタートキーを押下することにより、読み取り開始指示が入力されたかを判断する（Ｓ８０４）。Ｓ８０４の判断が否定される間（Ｓ８０４：Ｎｏ）、処理を待機する。
【００８９】
一方、Ｓ８０４の判断が肯定されると（Ｓ８０４：Ｙｅｓ）、次に、原稿載置部２ａにセットされた原稿を全て読み込み、原稿データメモリ１３３（図２参照）に保存する（Ｓ８０６）。原稿Ｐから取得された識別情報が１種類だった場合は、Ｓ８０２の処理で設定された処理内容を、その取得された識別情報と対応付けて管理メモリ１４１に新規登録する（Ｓ８０８）。なお、原稿Ｐから識別情報が取得されなかった場合は、Ｓ８０８の処理をスキップする。
【００９０】
そして、原稿データメモリに保存されたデータに対し、Ｓ８０２の処理で設定された処理内容を実行する（Ｓ８１０）。実行の具体的な内容については、自動設定処理の場合と同様である。
【００９１】
ユーザ設定処理（Ｓ１４）によれば、原稿Ｐから読み取られた識別情報が１つである場合、または識別情報が１つも読み取られなかった場合には、ユーザ指示の受付が直ちに開始され、ユーザの所望に応じた適切な処理内容が、読み取り対象の原稿の原稿データに対して設定される。
【００９２】
また、２種類以上の識別情報が取得されたが（図５におけるＳ８の判断が肯定されたが）、いずれも管理メモリ１４１に登録されていないために（図５におけるＳ１０の判断が否定される場合）、このファクシミリ送信処理（Ｓ２）が実行される場合、その登録されていないと判断された識別情報は、新たな原稿Ｐの原稿データに対する識別情報と見なされる。そして、ユーザにより指定された処理内容が、原稿Ｐから取得された識別情報と対応付けて管理メモリ１４１に登録されるので、次回以降、原稿の読み取りが行われる際には、新たに登録された識別情報が割り当てられた原稿Ｐを、さらに他の読み取り対象の原稿と共にセットすることにより、新たに登録された識別情報を利用して、ユーザ指示により指定された処理内容と同一の処理内容を、再度、他の原稿の原稿データに対しても簡単に設定することができる。
【００９３】
例えば、フロントページのみ、無線タグ付き記録用紙が用いられている場合、原稿Ｐから読み取られる識別情報は１種類であるため、ユーザ指示に基づいて処理内容が設定されると、そのフロントページに割り当てられた識別情報と、ユーザ指示に基づいて設定された処理内容とが対応付けて管理メモリ１４１に登録されるので、次回以降は、そのフロントページを他の原稿Ｐの設定用ページとして用いることができる。
【００９４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００９５】
例えば上述の実施形態では、取得された識別情報が２種類以上の場合のみ、管理メモリ１４１にその識別情報が存在しているかを確認し、存在していればその識別情報に基づく処理内容の設定を新たな原稿の原稿データに対しても適用していたが、取得された識別情報の種類数が１種類でも、その識別情報に基づいて、同じ処理内容を新たな原稿の原稿データに設定するように構成されても良い。
【００９６】
図８は、変形例のファクシミリ送信処理（Ｓ９０２）を示すフローチャートである。ファクシミリ装置１が、図５に示す実施形態のファクシミリ送信処理（Ｓ２）に代えて、図８に示す変形例ファクシミリ送信処理（Ｓ９０２）を実行するように構成されても良い。なお、図８に示すファクシミリ送信処理（Ｓ９０２）において、図５に示すファクシミリ処理（Ｓ２）と同一のステップについては、同一の符号を付して説明を省略する。
【００９７】
変形例のファクシミリ送信処理（Ｓ９０２）では、原稿Ｐから識別情報が取得された場合（Ｓ６：Ｙｅｓ）、次に、取得された識別情報のうち、いずれかが管理メモリ１４１（図４（ａ）参照）に登録されているかを判断する（Ｓ９０８）。つまり、取得された識別情報の種類数に関係なく、識別情報が管理メモリ１４１に登録されているかの確認を行う。
【００９８】
Ｓ９０８の判断が否定される場合（Ｓ９０８：Ｎｏ）、上述したユーザ設定処理（Ｓ１４）を実行し、処理を終了する。一方、Ｓ９０８の判断が肯定される場合（Ｓ９０８：Ｙｅｓ）、次に取得された識別情報が２種類以上あるか否かを判断する（Ｓ９１０）。Ｓ９１０の判断が肯定される場合（Ｓ９１０：Ｙｅｓ）、上述した自動設定処理（Ｓ１６）を実行し、処理を終了する。
【００９９】
一方、Ｓ９１０の判断が否定される場合（Ｓ９１０：Ｎｏ）、すなわち、取得された識別情報が１種類である場合、Ｓ９０８の判断において、管理メモリに登録済みの識別情報であると判断された識別情報を、参照識別情報メモリ１３２（図２参照）に記憶する（Ｓ９１２）。
【０１００】
次に、参照識別情報メモリ１３２に記憶した識別情報に対応する処理内容を、管理メモリ１４１（図４（ａ）参照）から読み出し、処理内容表示画面（図４（ｂ）参照）に表示する（Ｓ９１４）。次に、その処理内容表示画面に表示された処理内容を、ユーザからの指示に基づいて編集する（Ｓ９１６）。そして、読み取り指示が入力されたか否かを判断し（Ｓ９１８）、Ｓ９１８の判断が否定される場合（Ｓ９１８：Ｎｏ）、Ｓ９１６に戻る。ここにおいても、ユーザによる編集指示がない場合であっても、読み取り指示が受付可能である。
【０１０１】
一方、Ｓ９１８の判断が肯定されると（Ｓ９１８：Ｙｅｓ）、すなわち、読み取り指示が入力されると、その読み取り指示入力時に処理内容表示画面に表示されていた処理内容を原稿Ｐに関する処理内容として設定する（Ｓ９１９）。
【０１０２】
次に、自動原稿送り装置２により原稿Ｐを１ページ送り（Ｓ９２０）、その１ページの原稿に無線タグが装着されているか否かを判断する（Ｓ９２２）。Ｓ９２２の判断が否定される場合（Ｓ９２２：Ｎｏ）、Ｓ９３０の処理に移行する。
【０１０３】
一方、Ｓ９２２の判断が肯定される場合（Ｓ９２２：Ｙｅｓ）、その１ページの原稿Ｐが、識別情報が割り当てられた原稿か否かを判断する（Ｓ９２４）。Ｓ９２４の判断が肯定される場合（Ｓ９２４：Ｙｅｓ）、原稿データを原稿データメモリ１３３（図２参照）に保存せず（Ｓ９３６）、Ｓ９３０の処理に移行する。すなわち、上記と同様に、処理内容の設定用に用いられたページの原稿データの送信を禁止する。
【０１０４】
一方、Ｓ９２４の判断が否定される場合（Ｓ９２４：Ｎｏ）、すなわち、原稿Ｐに無線タグが装着され、且つその無線タグに識別情報が書き込まれていない場合、新たに識別情報を生成し（Ｓ９２６）、図示しない無線タグライタにより、その識別情報を、原稿Ｐに装着された無線タグに書き込む（Ｓ９２６）。そして、無線タグに書き込まれた識別番号と、Ｓ９１９の処理で設定した処理内用途を対応付けて管理メモリ１４１に登録し（Ｓ９２８）、Ｓ９３０の処理に移行する。
【０１０５】
次に、Ｓ９３０の処理では、取得した原稿データを原稿データメモリ１３３（図２参照）に保存し（Ｓ９３０）、原稿載置部２ａに次の原稿があるか否かを判断する（Ｓ９３２）。Ｓ９３２の判断が肯定される場合（Ｓ９３２：Ｙｅｓ）、Ｓ９２０に戻り処理を繰り返す。
【０１０６】
このようにして処理を繰り返す内に、原稿Ｐの全ページの読み取りが終了し、Ｓ９３２の判断が否定されると（Ｓ９３２：Ｎｏ）、原稿データメモリに保存された原稿データに対し、Ｓ９１９の処理で設定された処理内容を、タイマー送信管理メモリ（図示せず）またはポーリング送信管理メモリ（図示せず）に設定する（Ｓ９３４）。
【０１０７】
変形例のファクシミリ送信処理（Ｓ９０２）によれば、上述した実施形態のファクシミリ送信処理（Ｓ２）と同様の効果が得られる上、原稿から得られた識別情報の種類数が１種類であっても、その１種類の識別情報に対応した処理内容を利用して、新たな原稿の原稿データに対して同じ処理内容が設定される。さらに、新たな原稿の無線タグに識別情報が書き込まれていない場合には、新たに作成した識別情報が書き込まれるので、その新たに生成された識別情報が無線タグに書き込まれた原稿を、次回以降の送信において利用することにより、Ｓ９１９の処理において設定された処理内容と同一の処理内容を、他の原稿の原稿データに対しても簡単に設定することができる。
【０１０８】
なお、図９に示す変形例では、新たな原稿の無線タグに識別情報が存在しない場合、Ｓ９２６のステップにおいて、原稿の各ページに、個別に識別情報を作成して無線タグに書き込んでいたが、識別情報を１種類のみ作成し、その１種類の識別情報を新たな原稿の各ページの無線タグに書き込んでも良い。この場合、Ｓ９２８における、管理メモリ１４１への登録も一度でよいことになる。
【０１０９】
また、上記の実施形態の自動設定処理（Ｓ１６）では、管理メモリ１４１に登録されていないと判断された識別情報は利用されていなかったが、管理メモリ１４１に登録されていないと判断された識別情報に、新たに処理内容を対応付けて登録するように構成しても良い。
【０１１０】
図９は、変形例の自動設定処理（Ｓ１００）を示すフローチャートである。この変形例の自動設定処理（Ｓ１００）において、図６を参照して説明した自動設定処理（Ｓ１６）と同一の処理については同一の符号を付し、または図示を省略する。また、図６に示す自動設定処理（Ｓ１６）と同一の処理については説明を省略しまたは簡略化する。
【０１１１】
図９に示すように、変形例の自動設定処理（Ｓ１００）では、Ｓ７１０において読み込んだ１ページの原稿Ｐに割り当てられた識別情報が、参照識別情報メモリ１３２（図２参照）に記憶された識別情報と一致するか否かが判断され（Ｓ７１２）、肯定される場合は、実施形態の自動設定処理（Ｓ１６）と同じ処理が実行される。
【０１１２】
一方、Ｓ７１２の判断が否定される場合（Ｓ７１２：Ｎｏ）、本変形例の自動設定処理（Ｓ１００）では、次に、その原稿に識別情報が割り当てられているか否かを判断する（Ｓ７２２）。Ｓ７２２の判断が否定される場合（Ｓ７２２：Ｎｏ）、Ｓ７１６の処理に移行し、実施形態の自動設定処理（Ｓ１６）と同じ処理が実行される。
【０１１３】
一方、Ｓ７２２の判断が肯定される場合（Ｓ７２２：Ｙｅｓ）、すなわち、原稿Ｐに識別情報が割り当てられている場合、その割り当てられている識別情報を、原稿Ｐの原稿データに対して実行する処理内容として設定された内容と対応付けて、管理メモリ１４１に登録し（Ｓ７２４）、Ｓ７１６の処理に移行する。
【０１１４】
図１０は、変形例の自動設定処理において、識別情報が新たに登録された管理メモリ１４１の一例を示す図である。図１０に示すように、例えば、設定用ページに割り当てられた識別情報「ＢＲＯ０００１」が予め管理メモリ１４１に登録されていた場合、その識別情報「ＢＲＯ０００１」に基づいて、新たな原稿データに対する処理内容が決定される。そして、その管理メモリ１４１に登録されていると判断された識別情報以外の識別情報（例えば「ＢＲＯ０００４」）が原稿Ｐから取得された場合は、その識別情報が、決定された処理内容と対応付けて新たに登録される。その結果、図１０に示すように、新たに管理Ｎｏ．４として「ＢＲＯ００４」の識別情報に対応する原稿データの処理内容が登録される。なお、Ｓ７１８の処理において、次の原稿があると判断された場合、Ｓ７１０に戻り、次の原稿が読み込まれるが、この原稿に対しても識別情報があるとＳ７２２で判断された場合でも、その識別情報が先の原稿に付与されていた識別情報と同じであれば、一連の原稿であるとみなし、Ｓ７２４の管理メモリへの登録は行わず、原稿データの保存のみを実行する（Ｓ７１６）。また、Ｓ７１０で新たに読み込まれた原稿に付与されていた識別情報が、さらに別の識別情報であれば、その原稿に対しても、Ｓ７２４の処理を実行するように構成してもよい。
【０１１５】
このようにすれば、次回以降、原稿の読み取りが行われる際には、新たに登録された識別情報（図１０に示す例では「ＢＲＯ０００４」が割り当てられた原稿Ｐ）を、次の読み取り対象の原稿に付加することにより、その識別情報を利用して次の読み取り対象の原稿に対する処理内容を設定することができる。すなわち、識別情報が管理メモリ１４１に登録されていない原稿Ｐであっても、管理メモリ１４１に登録済みの識別情報が割り当てられた設定用の原稿Ｐと共に一度でも送信されることにより、以降は、設定用原稿Ｐとして用いることができるようになるのである。
【０１１６】
また、上記実施形態の自動設定処理（Ｓ１６）では、管理メモリ１４１に登録されていると判断された識別情報が複数ある場合、その複数の識別情報に対応した複数の処理内容を操作パネル２６に表示し、ユーザにいずれかを選ばせることとしていた。これに代えて、取得された複数種類の識別情報のうち、送信順序において最も先頭側の原稿Ｐから得られた識別情報に対応した処理内容のみを、操作パネル２６に表示するように構成されても良い。このようにすれば、ユーザは、送信したいと思う原稿Ｐの先頭に、設定用ページを配置するだけで良く、操作方法を簡単に覚えることができる。
【０１１７】
また、上記実施形態では、処理内容として、種別、宛先情報、発呼時刻が含まれていたが、これらのうち、いずれか１つを含むものであっても良いし、読み取りの解像度や濃さなど、他の設定を処理内容として含むものであっても良い。また、例えば、ポーリング送信の機密性を高めるために、送信側装置においてパスワードを設定する場合には、そのパスワードが処理内容に含まれていても良い。
【０１１８】
また、上記実施形態では、タイマー送信またはポーリング送信に関する処理内容が設定されるものとして説明したが、これらの送信処理以外の送信処理についても本発明を適用することができる。さらに、本発明はファクシミリ送信処理以外の各種処理にも適用可能である。
【０１１９】
例えば、コピー機において、コピー設定の履歴が登録される履歴登録手段が設けられている場合には、コピー元原稿から取得した識別情報が、履歴登録手段に登録されているかを判断し、履歴登録手段に登録済みである場合には、その識別情報に対応したコピー設定（例えば、セット数、解像度、カラー／モノクロ、２ｉｎ１）を読み出して設定し、その設定したコピー設定で、読み取り対象の原稿のコピー処理を実行するように構成されていても良い。
【０１２０】
また、同様に、ファクシミリ装置において、ファクシミリ送受信の履歴情報が登録される履歴登録手段が設けられている場合には、送信対象原稿から取得した識別情報に基づいて履歴情報を読み出し、その履歴情報を用いて、ファクシミリ送信に関する処理内容が設定されるように構成しても良い。
【０１２１】
また、上記実施形態では、管理メモリ１４１がファクシミリ装置１内蔵のフラッシュメモリ１４に設けられるものとして説明したが、外部記憶装置や、着脱可能なメモリカードに管理メモリ１４１が設けられていても良い。
【０１２２】
また、上記実施形態では、設定用ページの原稿Ｐ１と、実際に送信したい原稿Ｐ２〜Ｐ６とをまとめてセットするものとして説明したが、例えば、設定用ページの原稿のみを最初に読み取らせ、所定の操作の後に、実際に送信したい原稿をセットするように構成されても良い。すなわち、設定用原稿は、必ずしも送信する原稿と一緒にセットされなくてもよい。
【０１２３】
また、上記実施形態では、原稿Ｐから取得された複数種類の識別情報のうち、２以上の識別情報が管理メモリ１４１に登録されている場合、その２以上の識別情報から、ユーザによりいずれか１つの処理内容を選択させることとしていたが、これに代えて、２以上の識別情報が管理メモリ１４１に登録されている場合には、その２以上の識別情報のうち、先頭側に配置された設定用ページＰ１から取得された識別情報を使用するように予め処理が定められていてもよい。
【０１２４】
また、上記実施形態では、タイマー送信、ポーリング送信専用の管理メモリ（図示せず）が設けられるものとして説明したが、これに代えて、本実施形態で説明した管理メモリ１４１が、タイマー送信用管理メモリおよびポーリング送信用の管理メモリとして利用されても良い。その場合、例えば、管理メモリ１４１において処理内容に対応付けられた管理番号（または識別情報）を、ＲＡＭ１３の原稿データメモリ１３３に格納された原稿データに関連づけ、記憶しておく。この場合、原稿データに管理番号（または識別情報）を関連づけ、記憶する処理が、特許請求の範囲に記載の「設定手段」に相当する。
【０１２５】
このようにすれば、例えば、タイマー送信で設定されている「発呼時刻」になった場合には、管理メモリ１４１の内容に基づき、「発呼時刻」に対応する管理番号が参照され、さらに、その管理番号（識別情報）に対応する原稿データが原稿データメモリ１３３から読み出される。そして、「宛先情報」に基づいて原稿データが送信される。
【図面の簡単な説明】
【０１２６】
【図１】本発明の情報処理装置の一実施形態としてのファクシミリ装置の模式的な断面図である。
【図２】図１に示すファクシミリ装置の電気的構成を示すブロック図である。
【図３】ファクシミリ装置における、読み取り対象原稿の一例を示す図である。
【図４】（ａ）は、管理メモリの構成の一例を模式的に示す図であり、（ｂ）は、処理内容表示画面の一例を示す図である。
【図５】ファクシミリ装置のＣＰＵが実行するファクシミリ送信処理を示すフローチャートである。
【図６】自動設定処理を示すフローチャートである。
【図７】ユーザ設定処理を示すフローチャートである。
【図８】変形例のファクシミリ送信処理を示すフローチャートである。
【図９】変形例の自動設定処理を示すフローチャートである。
【図１０】変形例の自動設定処理において、識別情報が新たに登録された管理メモリの一例を示す図である。
【符号の説明】
【０１２７】
１                            ファクシミリ装置（情報処理装置の一例）
３                            スキャナ装置（読取手段の一例）
１５                          識別情報取得手段（無線タグリーダ）
３０                          無線タグ
１３２                        参照識別情報メモリ（識別情報記憶手段の一例）
１４１                        管理メモリ
Ｓ１６，Ｓ１００，Ｓ７０２    設定手段の一例
Ｓ７１２                      一致判断手段
Ｓ７１６                      送信禁止手段
Ｓ７２０                      実行手段
【図１】
0004941283.tif 000002
【図２】
0004941283.tif 000003
【図３】
0004941283.tif 000004
【図４】
0004941283.tif 000005
【図５】
0004941283.tif 000006
【図６】
0004941283.tif 000007
【図７】
0004941283.tif 000008
【図８】
0004941283.tif 000009
【図９】
0004941283.tif 000010
【図１０】
0004941283.tif 000011